(57)【要約】  携帯キャリアは、空洞を備えるスリーブと、スリーブの長さに沿って配置された分配ポートと、スリーブの第１の遠位端に配置された装填ポートとを含む。装填ポートは、スリーブの空洞内に複数の再使用可能なバッグを装填するように構成される。スリーブの空洞は、複数の再使用可能なバッグを収納するように構成される。分配ポートは、スリーブの空洞から１つ又は複数の再使用可能なバッグへのアクセスを提供するように構成される。
2016529079.tif 000002
【特許請求の範囲】
【請求項１】
携帯キャリアであって、
空洞を備えるスリーブと、
前記スリーブの長さに沿って配置された分配ポートと、
前記スリーブの第１の遠位端に配置された装填ポートと、
を備える携帯キャリア。
【請求項２】
前記スリーブに配置されたカラビナ織物ループと、
前記カラビナ織物ループに取り付けられたカラビナと、
をさらに備える、請求項１に記載の携帯キャリア。
【請求項３】
前記スリーブの第２の遠位端に配置された織物ループをさらに備える、請求項１に記載の携帯キャリア。
【請求項４】
前記装填ポートが、前記スリーブの前記空洞内に複数の再使用可能なバッグを装填するように構成される、請求項１に記載の携帯キャリア。
【請求項５】
前記スリーブの前記空洞が、複数の再使用可能なバッグを収納するように構成される、請求項１に記載の携帯キャリア。
【請求項６】
前記分配ポートが、前記スリーブの前記空洞から１つ又は複数の再使用可能なバッグへのアクセスを提供するように構成される、請求項１に記載の携帯キャリア。
【請求項７】
前記スリーブが円筒状である、請求項１に記載の携帯キャリア。
【請求項８】
前記スリーブが多角形の形状である、請求項１に記載の携帯キャリア。
【請求項９】
前記スリーブが織物を含む、請求項１に記載の携帯キャリア。
【請求項１０】
前記スリーブがレザーを含む、請求項１に記載の携帯キャリア。
【請求項１１】
前記スリーブがシリコーンを含む、請求項１に記載の携帯キャリア。
【請求項１２】
前記装填ポートが、
前記スリーブの前記第１の遠位端の開口部と、
コード織物ループと、
前記コード織物ループ内に部分的に配置されたコードループと、
前記コードループの周りに配置されたコードロックとを備える、
請求項１に記載の携帯キャリア。
【請求項１３】
前記装填ポートが、前記スリーブの前記第１の遠位端に対してジッパー付きの閉鎖部を備える、請求項１に記載の携帯キャリア。
【請求項１４】
前記装填ポートが、前記スリーブの前記第１の遠位端に対してフックアンドループ閉鎖部を備える、請求項１に記載の携帯キャリア。
【請求項１５】
前記装填ポートが、前記スリーブの前記第１の遠位端に対してボタン閉鎖部を備える、請求項１に記載の携帯キャリア。
【請求項１６】
前記コードループが支持取っ手として役立つように構成される、請求項１２に記載の携帯キャリア。
【請求項１７】
前記装填ポートが織物ガセットをさらに含む、請求項１２に記載の携帯キャリア。
【請求項１８】
前記分配ポートが、
前記スリーブの長さに沿って配置されたジッパーと、
前記ジッパーに配置されたスライダと、
前記スライダに配置されたプルタブとを備える、
請求項１に記載の携帯キャリア。
【請求項１９】
前記分配ポートが、前記スリーブの長さに沿って配置されたフックアンドループファスナを備える、請求項１に記載の携帯キャリア。
【請求項２０】
前記分配ポートが、前記スリーブの長さに沿って配置されたボタンファスナを備える、請求項１に記載の携帯キャリア。
【発明の詳細な説明】
【背景技術】
【０００１】
一回のみの使用のグローサリスタイルバッグは、様々な商品を輸送するために一般に使用される。従来の一回のみの使用のグローサリスタイルバッグは、一回のみの使用の紙バッグ及び一回のみの使用のプラスチックを含む。一回のみの使用の紙バッグは、典型的に、木を原料とする木材パルプ又はリサイクル材料から製造される。木を原料とする木材パルプは、典型的に、その比較的大きな強度及び限界支承能力のため、リサイクル材料を原料とする木材パルプよりも好ましい。しかし、木を原料とする木材パルプは、必要な長い乾燥期間のため時間を浪費する。さらに、供給源の木は、補充することができる再生可能な供給源であるが、一回のみの使用のグローサリスタイルバッグに対する需要は、補充を実行不可能にする。この結果、一回のみの使用の紙バッグは、大部分、一回のみの使用のプラスチックバッグに道を譲ってきた。
【０００２】
一回のみの使用のプラスチックバッグは、典型的に、石油又は石油副産物を原料とするポリエチレンから製造される。供給源の石油は、今日、容易に利用可能であるが、補充することができない再生不可能な供給源である。しかし、一回のみの使用のプラスチックバッグに対する需要は異常というほかない。米国では、一回のみの使用のプラスチックバッグが毎年約１０００億枚使用され、廃棄されている。世界的には、一回のみの使用のプラスチックバッグが毎年約１兆枚使用され、廃棄されている。
【０００３】
環境の観点から、廃棄された一回のみの使用のプラスチックバッグの蓄積は、多くの課題を提起している。国連環境計画の研究によれば、一回のみの使用のプラスチックバッグの約１０パーセントが毎年海洋に蓄積している。海洋に蓄積する一回のみの使用のプラスチックバッグの約７０パーセントが海底に達し、そこでは、海底の状態により、一回のみの使用のプラスチックバッグの生分解が妨げられる。一回のみの使用のプラスチックバッグが生分解に適切な状態で廃棄される場合でも、それらを完全に分解するためには最長１０００年かかることがあり、その過程で有毒な化学物質が発生される可能性があり、それらが食品連鎖又は水供給を侵し、汚染し得る。
【発明の概要】
【課題を解決するための手段】
【０００４】
本発明の１つ又は複数の実施形態の態様によれば、携帯キャリアは、空洞を備えるスリーブと、スリーブの長さに沿って配置された分配ポートと、スリーブの第１の遠位端に配置された装填ポートとを含む。
【０００５】
本発明の他の態様は、次の説明および特許請求の範囲から明らかになる。
【図面の簡単な説明】
【０００６】
【図１】本発明の１つ又は複数の実施形態による再使用可能なバッグの図面である。
【図２】本発明の１つ又は複数の実施形態による再使用可能なグローサリスタイルバッグ用の携帯キャリアの前部斜視図である。
【図３】本発明の１つ又は複数の実施形態による再使用可能なグローサリスタイルバッグ用の携帯キャリアの後部斜視図である。
【図４】本発明の１つ又は複数の実施形態による再使用可能なグローサリスタイルバッグ用の携帯キャリアに挿入される再使用可能なバッグの図面である。
【図５】本発明の１つ又は複数の実施形態による複数の再使用可能なバッグが装填された再使用可能なグローサリスタイルバッグ用の携帯キャリアの図面である。
【図６】本発明の１つ又は複数の実施形態による再使用可能なグローサリスタイルバッグ用の携帯キャリアから取り除かれる再使用可能なバッグの図面である。
【発明を実施するための形態】
【０００７】
本発明の１つ又は複数の実施形態が、添付図を参照して詳細に記載される。一貫性のために、様々な図の同様の要素は同様の参照番号によって示される。本発明の次の詳細な説明では、本発明の完全な理解を提供するために、特定の詳細が説明される。他の例では、当業者に周知の特徴は、本発明の説明を不明確にすることを避けるために説明しない。
【０００８】
近年、一回のみの使用のプラスチックバッグの環境に対する影響の認識が広がりつつある。この結果、それらの使用を低減又は除去するために多くの努力が行われている。いくつかの地方自治体では、地方政府は、鉛ベースのカラーインクを使用する一回のみの使用のプラスチックバッグを禁止している。他の地方自治体では、地方政府は、一回のみの使用のプラスチックバッグを完全に禁止している。例えば、ロサンゼルス市は、最近、一回のみの使用のプラスチックバッグの使用禁止の点でサンフランシスコ、シアトル及び他の都市と協力した。ハワイでは、５つの郡が一回のみの使用のプラスチックバッグの使用を禁止するために協力し、ハワイは、州全体にわたってそれらの使用を禁止する最初の国家となっている。
【０００９】
多くの地方自治体はなお一回のみの使用のプラスチックバッグの使用を許しているが、その傾向は後退しつつある。いくつかの地方自治体は、再使用可能なバッグの使用を促進する手段として、購入箇所で一回のみの使用のプラスチックバッグの消費者に税金を課している。これらの及び他の理由で、一回のみの使用のプラスチックバッグは、商品を輸送するための再使用可能なバッグの増大する使用に道を譲り、また譲り続けるであろう。
【００１０】
図１は、本発明の１つ又は複数の実施形態による再使用可能なバッグ１００を示している。再使用可能なバッグ１００は、１つ又は複数の商品（図示せず）を輸送するために使用し得る。図１Ａでは、再使用可能なバッグ１００は、複数の支持ループ１１０、収納領域１２０、及び収納領域１２０へのアクセスを提供する開口部１３０を含む。ある実施形態では、再使用可能なバッグ１００は、食料雑貨店及び小売り店で一般に使用される一回のみの使用の標準プラスチックバッグと実質的に同様の形状及び寸法を有することが可能である。この標準の形状及び寸法は、過大な負荷を防止する点で有効であることが証明されており、温度、重量及び耐久性による品目の分離を促進し、食中毒の拡散を防止するために他の品目からの生肉の分離を促進する。さらに、この標準の形状及び寸法は、一回のみの使用のプラスチックグローサリバッグを装填用の購入箇所で開放保持する既存のバッグ保持器の使用を容易にする。他の実施形態では、再使用可能なバッグ１００は、一回のみの使用の標準プラスチックバッグとは異なる形状を有し得る。なお他の実施形態では、再使用可能なバッグ１００は、一回のみの使用の標準プラスチックバッグとは異なる寸法を有し得る。当業者は、再使用可能なバッグ１００の形状及び／又は寸法は、本発明の１つ又は複数の実施形態による用途又は設計に基づいて変更してもよいことを認識するであろう。
【００１１】
再使用可能なバッグ１００が腐敗しやすい商品、例えば食料雑貨類を運ぶために使用されるとき、バッグは食中毒の拡散を防止するために通常の間隔で典型的に洗浄される。このように、再使用可能なバッグ１００は、洗浄の繰り返しに耐えることができる耐久性材料から製造し得る。ある実施形態では、再使用可能なバッグ１００は、リップストップナイロンを含み得る。他の実施形態では、再使用可能なバッグ１００はポリエステルを含み得る。なお他の実施形態では、再使用可能なバッグ１００は、ナイロン、抗菌ポリエステル、木綿、大麻、又は黄麻を含み得る。当業者は、再使用可能なバッグ１００の組成は、本発明の１つ又は複数の実施形態による用途又は設計に基づいて変更してもよいことを認識するであろう。ある実施形態では、再使用可能なバッグ１００は、再使用可能なバッグ１００それ自体の材料に印刷された装飾デザインによって装飾し得る。図１Ｂに示したように、再使用可能なバッグ１００は、収納及び輸送を容易にするために折り曲げるか又は丸めることが可能である。
【００１２】
図２は、本発明の１つ又は複数の実施形態による再使用可能なグローサリスタイルバッグ（図１の１００）用の携帯キャリア２００の前部斜視図を示している。再使用可能なグローサリスタイルバッグ２００用の携帯キャリアは、スリーブ２１０、スリーブ２１０の長さに沿って配置された分配ポート２２０、及びスリーブ２１０の遠位端に配置された装填ポート２３０を含み得る。
【００１３】
ある実施形態では、スリーブ２１０は可撓性であり得る。他の実施形態では、スリーブ２１０は実質的に剛性であり得る。当業者は、スリーブ２１０の可撓性又は剛性は、本発明の１つ又は複数の実施形態による用途又は設計に基づいて変更してもよいことを認識するであろう。ある実施形態では、スリーブ２１０の形状は実質的に円筒状であり得る。他の実施形態では、スリーブ２１０の形状は実質的に長方形であり得る。なお他の実施形態では、スリーブ２１０の形状は実質的に三角形であり得る。なお他の実施形態では、スリーブ２１０の形状は実質的に多角形であり得る。当業者は、スリーブ２１０の形状は、本発明の１つ又は複数の実施形態による用途又は設計に基づいて変更してもよいことを認識するであろう。
【００１４】
ある実施形態では、スリーブ２１０は、食料雑貨店及び小売り店で一般に使用される一回のみの使用の標準プラスチックバッグと実質的に同様の形状及び寸法を各々が有する所定数の再使用可能なバッグ（図１の１００）を収容するために適切な寸法であり得る。他の実施形態では、スリーブ２１０は、一回のみの使用の標準プラスチックバッグとは異なる形状又は寸法を有する所定数の再使用可能なバッグ（図１の１００）を収容するために適切な寸法であり得る。当業者は、スリーブ２１０の寸法は、本発明の１つ又は複数の実施形態による用途又は設計に基づいて変更してもよいことを認識するであろう。
【００１５】
スリーブ２１０は、合成織物又は材料、有機織物又は材料、あるいは１つ又は複数の合成織物又は材料及び／又は１つ又は複数の有機織物又は材料の組み合わせを含み得る。ある実施形態では、スリーブ２１０は、例えばナイロン、リップストップナイロン、スパンデックス、及び／又はエラステインのような織物を含み得る。他の実施形態では、スリーブ２１０は、有機又は天然織物、レザー、及び／又はスエードを含み得る。なお他の実施形態では、スリーブ２１０は、プラスチック又はシリコーン材料を含み得る。当業者は、スリーブ２１０の組成は、本発明の１つ又は複数の実施形態による用途又は設計に基づいて変更してもよいことを認識するであろう。
【００１６】
ある実施形態では、スリーブ２１０は、空気がスリーブ２１０の空洞（図示せず）を透過することを可能にする通気性の織物又は材料を含み得る。このようにして、スリーブ２１０の空洞（図示せず）内に配置された再使用可能なバッグ（図１の１００）は空気を排出し、乾燥し得る。他の実施形態では、スリーブ２１０の一部分のみが通気性の織物又は材料を含んでもよい。なお他の実施形態では、ジッパー２４０の反対側のスリーブ２１０の限定部分が、通気性の織物又は材料を含んでもよい。ある実施形態では、通気性の織物又は材料（図示せず）は、スリーブ２１０の内部から水分を吐出する材料であり得る。他の実施形態では、通気性の織物又は材料（図示せず）は、スリーブ２１０の内部と外部との間の空気流を許容する通気性膜であり得る。なお他の実施形態では、通気性の織物又は材料（図示せず）は、スリーブ２１０の内部と外部との間の空気流を推進するメッシュタイプの材料であり得る。当業者は、通気性の織物又は材料のタイプは、本発明の１つ又は複数の実施形態による用途又は設計に基づいて変更してもよいことを認識するであろう。
【００１７】
ある実施形態では、使用する材料に応じて、スリーブ２１０は、その組成のために耐水性又は防水性であり得る。他の実施形態では、スリーブ２１０は、スリーブを耐水性又は防水性にするためにコーティングで被覆し得る。なお他の実施形態では、スリーブ２１０は防水性でなくてもよい。ある実施形態では、スリーブ２１０は、スリーブ２１０それ自体の織物に印刷された装飾デザインによって装飾し得る。他の実施形態では、スリーブ２１０は、スリーブ２１０の外側に取り付けられた装飾処理によって装飾し得る。当業者は、スリーブ２１０の装飾デザインは、本発明の１つ又は複数の実施形態による用途又は設計に基づいて変更してもよいことを認識するであろう。
【００１８】
スリーブ２１０は、スリーブ２１０の空洞（図示せず）へのアクセスを提供する第１の遠位端の閉鎖可能な開口部を含む。空洞（図示せず）は、複数の再使用可能なバッグ（図１Ｂの１００）を収納するように構成し得る。分配ポート２２０は、例えば小売りの購入箇所で、１つ又は複数の再使用可能なバッグ（図１の１００）の使用が望まれるときに、スリーブ２１０の空洞（図示せず）に収納されたそれらのバッグへのアクセスを提供するように構成し得る。第１の遠位端又は分配ポート２２０を介してのみスリーブ２１０の空洞（図示せず）にアクセスし得るように、スリーブ２１０の第２の遠位端を閉鎖し得る。ある実施形態では、分配ポート２２０は、スリーブ２１０の長さに沿って配置されたジッパー２４０、ジッパー２４０に配置されたスライダ２５０、及びジッパー２４０の開閉を容易にするためにスライダ２５０に配置されたプルタブ２６０を備え得る。ある実施形態では、スライダ２５０は、空洞（図示せず）内に配置された再使用可能なバッグ（図１の１００）がスライダ２５０に巻き込まれることを防止する織物フラップ又はシールド（図示せず）を含み得る。
【００１９】
織物ループ２７０は、任意選択的に、スリーブ２１０の第２の遠位端、装填ポート２３０から最も遠い端部に配置し得る。織物ループ２７０は、携帯キャリア２００に関係するブランディング及び／又は組成情報及び他の関連情報を提供し得る。織物ループ２７０はまた、ユーザが、装填ポート２３０に向かってプルタブ２６０を引っ張ることによってジッパー２４０を開くときに携帯キャリア２００を適所に固定するように、把持点として役立ち得る。十分に開けられたとき、ジッパー２４０は、スリーブ２１０の空洞（図示せず）及びその内容へのアクセスを提供し得る。このようにして、ユーザは、必要に応じて１つ又は複数の再使用可能なバッグ（図１の１００）を使用のために取り除くことが可能である。他の実施形態では、分配ポート２２０は、フックアンドループファスナ（図示せず）、ボタン及びボタンファスナ（図示せず）、又は他の任意のタイプのファスナを含み得る。当業者は、分配ポート２２０の開閉構造のタイプは、本発明の１つ又は複数の実施形態による用途又は設計に基づいて変更してもよいことを認識するであろう。
【００２０】
装填ポート２３０は、スリーブ２１０の第１の遠位端に開口する口部２３２を通してスリーブ２１０の空洞（図示せず）内に１つ又は複数の再使用可能なバッグ（図１Ｂの１００）を構成し得る。ある実施形態では、装填ポート２３０は、スリーブ２１０の第１の遠位端の開口部に取り付けられた可撓性織物を含むことが可能であり、開口部は、スリーブ２１０の空洞（図示せず）への遠位アクセスを提供する。他の実施形態では、可撓性織物２８０は、同一の材料及びカット部から構成されるスリーブ２１０の連続的な延長部であり得る。装填ポート２３０は、可撓性織物２８０に取り付けられるか又はそれから形成されたコード織物ループ２８２を含み得る。ロープ型コードループ２８４は、コード織物ループ２８２内に部分的に配置してもよく、コードループ２８４の残部は支持取っ手として機能するように構成される。コードループ２８４の周りに配置されたコードロック２８６は、装填ポート２３０を締めて閉鎖するか又は口部２３２がアクセス可能であるように装填ポート２３０を緩めるように構成し得る。図２に、締められて閉鎖された装填ポート２３０が示されている。口部２３２の開口部に余裕を提供するために、織物ガセット２８８を任意選択的に含み得る。他の実施形態では、装填ポート２３０は、場合に応じて、口部２３２の周囲又は周辺に沿って延びるジッパー付きの閉鎖部（図示せず）であり得る。なお他の実施形態では、装填ポート２３０は、フックアンドループファスナ（図示せず）、ボタン及びボタンファスナ（図示せず）、又は他の任意のタイプのファスナであり得る。当業者は、装填ポート２３０の開閉機構は、本発明の１つ又は複数の実施形態による用途又は設計に基づいて変更してもよいことを認識するであろう。
【００２１】
装填ポート２３０は、合成織物又は材料、有機織物又は材料、あるいは１つ又は複数の合成織物又は材料及び／又は１つ又は複数の有機織物又は材料の組み合わせを含み得る。ある実施形態では、装填ポート２３０は、例えばナイロン、リップストップナイロン、スパンデックス、及び／又はエラステインのような織物を含み得る。他の実施形態では、装填ポート２３０は、有機又は天然織物、レザー、又はスエードを含み得る。なお他の実施形態では、装填ポート２３０は、プラスチック又はシリコーン材料を含み得る。当業者は、装填ポート２３０の組成は、本発明の１つ又は複数の実施形態による用途又は設計に基づいて変更してもよいことを認識するであろう。
【００２２】
ある実施形態では、装填ポート２３０は、空気がスリーブ２１０の空洞（図示せず）を透過することを可能にする通気性の織物又は材料を含み得る。このようにして、スリーブ２１０の空洞（図示せず）内に配置された再使用可能なバッグ（図１の１００）は空気を排出し、乾燥し得る。他の実施形態では、装填ポート２３０の一部分のみが通気性の織物又は材料を含んでもよい。ある実施形態では、通気性の織物又は材料（図示せず）は、スリーブ２１０の内部から水分を吐出する材料であり得る。他の実施形態では、通気性の織物又は材料（図示せず）は、スリーブ２１０の空洞と外部との間の空気流を許容する通気性膜であり得る。なお他の実施形態では、通気性の織物又は材料（図示せず）は、空気流を推進するメッシュタイプの材料であり得る。当業者は、通気性の織物又は材料のタイプは、本発明の１つ又は複数の実施形態による用途又は設計に基づいて変更してもよいことを認識するであろう。
【００２３】
ある実施形態では、使用する材料に応じて、装填ポート２３０は、その組成のために耐水性又は防水性であり得る。他の実施形態では、装填ポート２３０は、スリーブを耐水性又は防水性にするためにコーティングで被覆し得る。なお他の実施形態では、装填ポート２３０は防水性でなくてもよい。ある実施形態では、装填ポート２３０は、装填ポート２３０それ自体の織物に印刷された装飾デザインによって装飾し得る。他の実施形態では、装填ポート２３０は、装填ポート２３０の外側に取り付けられた装飾処理によって装飾し得る。当業者は、装填ポート２３０の装飾デザインは、本発明の１つ又は複数の実施形態による用途又は設計に基づいて変更してもよいことを認識するであろう。
【００２４】
携帯キャリア２００は、スリーブ２１０に配置されたカラビナ織物ループ２９０を含み得る。ある実施形態では、カラビナ織物ループ２９０は、口部２３２に最も近いスリーブ２１０に配置し得る。他の実施形態では、カラビナ織物ループ２９０は、口部２３２とジッパー２４０との間のスリーブ２１０に配置し得る。当業者は、カラビナ織物ループ２９０の位置は、本発明の１つ又は複数の実施形態による用途又は設計に基づいて変更してもよいことを認識するであろう。ある実施形態では、カラビナ２９２は、カラビナ織物ループ２９０に取り付けられ得る。ユーザは、カラビナ２９２を使用して、携帯キャリア２００をグローサリバスケット、カート又は他の取付け箇所にクリップ留めし得る。さらに、カラビナ２９２は、ジッパー２４０を締めて閉じるときに把持点として役立ち得る。当業者は、他の取付け又はクリップ留め機構を、本発明の１つ又は複数の実施形態によるカラビナの代わりに使用してもよいことを認識するであろう。
【００２５】
図３は、本発明の１つ又は複数の実施形態による再使用可能なバッグ（図１の１００）用の携帯キャリア２００の背面斜視図を示している。スリーブ２１０は、スリーブ２１０の第２の遠位端を閉鎖する背部部分３１０を含む。背部部分３１０はまた、スリーブ２１０の形状維持を補助し得る。ある実施形態では、背部部分３１０は、スリーブ２１０と同一の材料から構成され得る。他の実施形態では、背部部分３１０は、スリーブ２１０とは異なる材料から構成され得る。ある実施形態では、背部部分３１０は、スリーブ２１０の連続的な延長部であり得る。他の実施形態では、背部部分３１０は、スリーブ２１０に取り付けられた別個の材料部片であり得る。ある実施形態では、スリーブ２１０の形状維持を補助するために、背部部分３１０がスリーブ２１０に出会う端部に管３２０を任意選択的に縫い込むことが可能である。他の実施形態では、スリーブ２１０の材料組成が形状を維持するので、管３２０は必要でないかもしれない。
【００２６】
図４は、本発明の１つ又は複数の実施形態による再使用可能なバッグ１００用の携帯キャリア２００に挿入される再使用可能なバッグ１００を示している。図４には、緩められかつ口部２３２が開いている装填ポート２３０が示されており、１つ又は複数の再使用可能なバッグ１００が装填される態勢にある。装填ポート２３０は、コードループ２８４のより大きな部分の周りのコード織物ループ２８２を拡大することにより、コードロック２８６及び開口口部２３２を押し下げることによって緩めることが可能である。ある実施形態では、織物ガセット２８８は、口部２３２が、より広く開くことを可能にし得る。再使用可能なバッグ１００は折り曲げるか又は丸めることが可能である。折り曲げられるか又は丸められると、再使用可能なバッグ１００は、口部２３２にかつスリーブ２１０の空洞（図示せず）に挿入し得る。複数の再使用可能なバッグ１００は、このようにスリーブ２１０の空洞（図示せず）に一度に１枚挿入し得る。引き続き挿入される各々のバッグ１００は、その前に挿入されたバッグ１００をスリーブ２１０の第２の遠位端の背部部分（図３の３１０）に向かって押圧する。
【００２７】
図５は、本発明の１つ又は複数の実施形態による複数の再使用可能なバッグ１００が装填された再使用可能なバッグ１００用の携帯キャリア２００を示している。図５には、折り曲げられた又は丸められた１２の再使用可能なバッグ１００が、スリーブ２１０の空洞（独立して示されていない）に収納して示されている。ある実施形態では、携帯キャリア２００は、形状及び寸法が一回のみの使用の標準のプラスチックバッグと実質的に同様の折り曲げられた又は丸められた２枚から２０枚の範囲の再使用可能なバッグ１００を運ぶことができるように寸法決めし得る。他の実施形態では、携帯キャリア２００は、一回のみの使用の標準のプラスチックバッグと実質的に同様の折り曲げられた又は丸められた２枚から２０枚の範囲の再使用可能なバッグ１００を運ぶことができるように寸法決めし得る。なお他の実施形態では、携帯キャリア２００は、標準の形状又は寸法でもよく、又はそうでなくてもよい所定数の再使用可能なバッグ１００を運ぶように寸法決めし得る。当業者は、携帯キャリア２００の寸法及び当該キャリアが運ぶ再使用可能なバッグ１００の数は、本発明の１つ又は複数の実施形態による用途又は設計に基づいて変更してもよいことを認識するであろう。
【００２８】
図５には、分配ポート２２０がジッパー式に閉鎖されているのが示され、装填ポート２３０が締められて閉鎖されているのが示されている。装填ポート２３０は、コード織物ループ２８２が口部２３２を閉鎖するように、コードロック２８６を押し下げかつコードループ２８４を引っ張ることによって締められ得る。このようにして、携帯キャリア２００が完全に装填され、かつ複数の再使用可能なバッグ１００を収納又は輸送する態勢にあることが示されている。装填されたとき、携帯キャリア２００は、複数の再使用可能なバッグ１００が必要とされるまでそれらのバッグを収納しかつ保護するために使用し得る。ユーザが再使用可能なバッグ１００に対する必要性を予期するとき、携帯キャリア２００を購入箇所に導くことが可能である。携帯キャリア２００は、コードループ２８４によって形成された支持取っ手５１０によって運ぶことが可能である。支持取っ手５１０を使用して、携帯キャリア２００をバスケット、カート又は他の取付け箇所に取り付け得る。代わりに、カラビナ２９２を使用して、携帯キャリア２００をバスケット、カート又は他の取付け箇所に取り付け、これによって、ユーザの手を自由にし得る。
【００２９】
図６は、本発明の１つ又は複数の実施形態による再使用可能なバッグ１００用の携帯キャリア２００から取り除かれる再使用可能なバッグ１００を示している。１つ又は複数の再使用可能なバッグ１００が必要とされるとき、ユーザは、分配ポート２２０を開いて、１つ又は複数の再使用可能なバッグ１００を取り除き得る。織物ループ２７０を含むある実施形態では、ユーザは、織物ループ２７０を把持して、携帯キャリア２００を適所に固定しかつ装填ポート２３０に向かってプルタブ２６０を引っ張ることによってジッパー２４０を開き得る。十分に開けられたとき、ジッパー２４０は、スリーブ２１０の空洞（独立して示されていない）及びその内容、この場合、再使用可能なバッグ１００へのアクセスを提供し得る。このようにして、ユーザは、必要に応じて使用のために１つ又は複数の再使用可能なバッグ１００を取り除き得る（場合に応じて少なく又は多く）。
【００３０】
本発明の１つ又は複数の実施形態の利点は、次の１つ又は複数の利点を含み得る。
【００３１】
本発明の１つ又は複数の実施形態において、再使用可能なグローサリスタイルバッグ用の携帯キャリアは、購入箇所でキャリア内に収納された１つ又は複数の再使用可能なグローサリスタイルバッグへの簡単かつ容易なアクセスを提供する。
【００３２】
本発明の１つ又は複数の実施形態において、再使用可能なグローサリスタイルバッグ用の携帯キャリアは、環境対応型の再使用可能なグローサリスタイルバッグの使用を促進する。
【００３３】
本発明の１つ又は複数の実施形態において、再使用可能なグローサリスタイルバッグ用の携帯キャリアは、一回のみの使用の紙バッグ又は一回のみの使用のプラスチックバッグの必要性を低減又は排除する。
【００３４】
本発明の１つ又は複数の実施形態において、再使用可能なグローサリスタイルバッグ用の携帯キャリアは、複数の再使用可能なグローサリスタイルバッグをコンパクトに収納し、保護しかつ輸送する。
【００３５】
本発明の１つ又は複数の実施形態において、再使用可能なグローサリスタイルバッグ用の携帯キャリアは、複数の再使用可能なグローサリスタイルバッグを小設置面積にコンパクトに収納する。
【００３６】
本発明の１つ又は複数の実施形態において、再使用可能なグローサリスタイルバッグ用の携帯キャリアは、完全に装填されたときでも、典型的に個別に収納された嵩張る再使用可能なバッグよりもコンパクトであり、かつ容易に輸送可能である。
【００３７】
本発明の１つ又は複数の実施形態において、再使用可能なグローサリスタイルバッグ用の携帯キャリアは、雨又は水分から複数の再使用可能なグローサリスタイルバッグを保護する。
【００３８】
本発明の１つ又は複数の実施形態において、再使用可能なグローサリスタイルバッグ用の携帯キャリアは、複数の再使用可能なグローサリスタイルバッグを組織的に輸送する。
【００３９】
本発明の１つ又は複数の実施形態において、再使用可能なグローサリスタイルバッグ用の携帯キャリアは、再使用可能なグローサリスタイルバッグの装填、抜き取り及びバッグ内への再装填を容易にする装填ポートを含む。
【００４０】
本発明の１つ又は複数の実施形態において、再使用可能なグローサリスタイルバッグ用の携帯キャリアは、支持取っ手又はカラビナによってバスケット、カート、又は他の取付点に取り付けることが可能である。
【００４１】
本発明の１つ又は複数の実施形態において、再使用可能なグローサリスタイルバッグ用の携帯キャリアは、１つ又は複数の再使用可能なグローサリスタイルバッグに容易なアクセスを提供する分配ポートを含む。
【００４２】
本発明の１つ又は複数の実施形態において、再使用可能なグローサリスタイルバッグ用の携帯キャリアは、装填ポートを通した再使用可能なバッグの挿入及び装填ポートを通した再使用可能なバッグの取り除きを可能にする。
【００４３】
本発明の１つ又は複数の実施形態において、再使用可能なグローサリスタイルバッグ用の携帯キャリアは、装填、抜き取り及び再装填が容易な単一のコンパクトな容器における再使用可能なグローサリスタイルバッグの全体的な買い物価値を提供する。携帯キャリアは、カートシートの下に又はカートトランク内に容易に収納し得る。
【００４４】
本発明の１つ又は複数の実施形態において、再使用可能なグローサリスタイルバッグ用の携帯キャリアは、再使用可能なグローサリスタイルバッグを使用し得る任意の用途に使用し得る。
【００４５】
本発明の１つ又は複数の実施形態において、再使用可能なグローサリスタイルバッグ用の携帯キャリアは、使用しないときに再使用可能なグローサリスタイルバッグの長期の収納を容易にする。
【００４６】
本発明の１つ又は複数の実施形態において、再使用可能なグローサリスタイルバッグ用の携帯キャリアは、再使用可能なグローサリスタイルバッグを運ぶ従来の方法よりも便利である。
【００４７】
上述の実施形態に関して本発明について説明してきたが、本開示の利益を有する当業者は、本明細書に開示した本発明の範囲内にある他の実施形態を考案し得ることを認識するであろう。したがって、本発明の範囲は、添付の特許請求の範囲のみによって限定されるべきである。
【図１Ａ】
2016529079.tif 000003
【図１Ｂ】
2016529079.tif 000004
【図２】
2016529079.tif 000005
【図３】
2016529079.tif 000006
【図４】
2016529079.tif 000007
【図５】
2016529079.tif 000008
【図６】
2016529079.tif 000009
【国際調査報告】
2016529079.tif 000010